(57)【要約】【課題】比較的小さな絞り値による本撮影画像に関しても、ぼけ具合を確認することが可能な撮像装置を提供する。【解決手段】撮像装置１は、撮影光学系３からの光束であって主反射面６１で反射された光束である観察用光束を受光して画像信号を生成する撮像素子７と、撮像素子７による撮影画像に対して、ぼかしフィルタ処理を施す画像処理手段と、ぼかしフィルタ処理が施された撮影画像を表示する表示手段１２とを備える。画像処理手段は、撮影画像内の各位置におけるデフォーカス量と本撮影露光時における撮影光学系の絞り値とに応じて、撮影画像内の各位置におけるぼかしフィルタの強度を変更する。【選択図】図５
2009219085.tif 000002
【特許請求の範囲】
【請求項１】
撮像装置であって、
撮影光学系からの光束であって主反射面で反射された光束である観察用光束を受光して画像信号を生成する撮像素子と、
前記撮像素子による撮影画像に対して、ぼかしフィルタ処理を施す画像処理手段と、
前記ぼかしフィルタ処理が施された前記撮影画像を表示する表示手段と、
を備え、
前記画像処理手段は、前記撮影画像内の各位置におけるデフォーカス量と本撮影露光時における前記撮影光学系の絞り値とに応じて、前記撮影画像内の各位置におけるぼかしフィルタの強度を変更することを特徴とすることを特徴とする撮像装置。
【請求項２】
請求項１に記載の撮像装置において、
前記画像処理手段は、前記デフォーカス量が大きくなるにつれて、前記ぼかしフィルタの強度を強くすることを特徴とする撮像装置。
【請求項３】
請求項２に記載の撮像装置において、
前記画像処理手段は、前記絞り値が小さくなるにつれて、前記ぼかしフィルタの強度を強くすることを特徴とする撮像装置。
【請求項４】
請求項１に記載の撮像装置において、
前記画像処理手段は、撮影倍率にも応じて前記ぼかしフィルタの強度を変更することを特徴とする撮像装置。
【請求項５】
請求項１に記載の撮像装置において、
前記画像処理手段は、焦点距離にも応じて前記ぼかしフィルタの強度を変更することを特徴とする撮像装置。
【請求項６】
請求項１に記載の撮像装置において、
前記画像処理手段は、合焦状態の被写体までの距離にも応じて前記ぼかしフィルタの強度を変更することを特徴とする撮像装置。
【請求項７】
請求項１に記載の撮像装置において、
前記ぼかしフィルタは、平滑化フィルタであることを特徴とする撮像装置。
【発明の詳細な説明】
【技術分野】
【０００１】
本発明は、デジタルカメラなどの撮像装置に関する。
【背景技術】
【０００２】
撮像装置において、撮影時における絞り値に応じたプレビュー画像を確認する技術として、特許文献１等に記載の技術が存在する。
【０００３】
特許文献１においては、絞り込みスイッチが操作された場合に、絞りを絞り込んだ状態の画像をプレビュー表示する技術が記載されている。なお、詳細には、撮像素子からの出力信号の増幅率を増大すること、あるいは、撮像素子での電荷蓄積時間を増大することにより、撮影画像の明るさを調整することも記載されている。
【０００４】
また、一眼レフレックスタイプのカメラ（一眼レフカメラとも称する）において、ライブビュー機能（被写体に関する時系列の画像を順次に液晶表示部等に表示する機能、換言すれば被写体の画像を動画的態様で液晶表示部等に表示する機能）を搭載する技術が存在する。このような技術におけるライブビュー画像は、本撮影用の撮像素子とは別に設けられた撮像素子によって撮影されて取得される。
【０００５】
【特許文献１】特開２００６−２７０４２６号公報
【発明の開示】
【発明が解決しようとする課題】
【０００６】
ところで、ポートレート撮影などにおいては、絞りを開放側に設定し被写界深度を浅くして主被写体以外の被写体を意図的にぼかした画像が撮影されることがある。
【０００７】
上述のような一眼レフカメラにおいて、このような本撮影画像におけるぼけ具合を確認できることが好ましい。
【０００８】
しかしながら、特許文献１の技術は、比較的大きな絞り値を用いる場合（絞りを絞り込む場合）には利用可能であるが、比較的小さな絞り値を用いる場合に利用できない。すなわち、特許文献１の技術を利用するとしても、比較的小さな絞り値による明るい画像に関してぼけ具合を確認することはできない。
【０００９】
また特に、一眼レフカメラにおけるファインダ光学系における開放Ｆ値（撮影レンズの絞りが開放された状態でのＦ値）は、一般的に比較的大きい。そのため、当該ファインダ光学系における被写体像（観察用光束）をライブビュー用の撮像素子で受光して得られるライブビュー画像は、比較的大きなＦ値に対応する画像である。したがって、ファインダ光学系の開放Ｆ値よりも小さな開放Ｆ値を有する比較的明るい撮影レンズを用いた撮影状況を再現することは非常に困難である。
【００１０】
そこで、この発明の課題は、比較的小さな絞り値による本撮影画像に関して、ぼけ具合を確認することが可能な撮像装置を提供することにある。
【課題を解決するための手段】
【００１１】
本発明は、撮像装置であって、撮影光学系からの光束であって主反射面で反射された光束である観察用光束を受光して画像信号を生成する撮像素子と、前記撮像素子による撮影画像に対して、ぼかしフィルタ処理を施す画像処理手段と、前記ぼかしフィルタ処理が施された前記撮影画像を表示する表示手段とを備え、前記画像処理手段は、前記撮影画像内の各位置におけるデフォーカス量と本撮影露光時における前記撮影光学系の絞り値とに応じて、前記撮影画像内の各位置におけるぼかしフィルタの強度を変更するものである。
【発明の効果】
【００１２】
本発明によれば、比較的小さな絞り値による本撮影画像に関して、ぼけ具合を確認することが可能である。
【発明を実施するための最良の形態】
【００１３】
以下、本発明の実施形態を図面に基づいて説明する。
【００１４】
＜１．構成概要＞
図１および図２は、本発明の第１実施形態に係る撮像装置１の外観構成を示す図である。ここで、図１は、撮像装置１の正面外観図であり、図２は、撮像装置１の背面外観図である。この撮像装置１は、レンズ交換式一眼レフレックスタイプのデジタルカメラとして構成されている。
【００１５】
図１に示すように、撮像装置１は、カメラ本体部（カメラボディ）２を備えている。このカメラ本体部２に対して、交換式の撮影レンズユニット（交換レンズ）３が着脱可能である。
【００１６】
撮影レンズユニット３は、主として、鏡胴３６、ならびに、鏡胴３６の内部に設けられるレンズ群３７（図３参照）及び絞り等によって構成される。レンズ群３７（撮影光学系）には、光軸方向に移動することによって焦点位置を変更するフォーカスレンズ等が含まれている。
【００１７】
カメラ本体部２は、撮影レンズユニット３が装着される円環状のマウント部Ｍｔを正面略中央に備え、撮影レンズユニット３を着脱するための着脱ボタン８９を円環状のマウント部Ｍｔ付近に備えている。
【００１８】
また、カメラ本体部２は、その正面左上部にモード設定ダイヤル８２を備えている。モード設定ダイヤル８２を操作することによれば、カメラの各種モード（各種撮影モード（人物撮影モード、風景撮影モード、およびフルオート撮影モード等）、撮影した画像を再生する再生モード、および外部機器との間でデータ交信を行う通信モード等を含む）の設定動作（切替動作）を行うことが可能である。
【００１９】
また、カメラ本体部２は、正面左端部に撮影者が把持するためのグリップ部１４を備えている。グリップ部１４の上面には露光開始を指示するためのレリーズボタン１１が設けられている。グリップ部１４の内部には電池収納室とカード収納室とが設けられている。電池収納室にはカメラの電源として、例えばリチウムイオン電池などの電池が収納されており、カード収納室には撮影画像の画像データを記録するためのメモリカード９０（図３参照）が着脱可能に収納されるようになっている。
【００２０】
レリーズボタン１１は、半押し状態（Ｓ１状態）と全押し状態（Ｓ２状態）の２つの状態を検出可能な２段階検出ボタンである。レリーズボタン１１が半押しされＳ１状態になると、被写体に関する記録用静止画像（本撮影画像）を取得するための準備動作（例えば、ＡＦ制御動作等）が行われる。また、レリーズボタン１１がさらに押し込まれてＳ２状態になると、当該本撮影画像の撮影動作（撮像素子５（後述）を用いて被写体像（被写体の光像）に関する露光動作を行い、その露光動作によって得られた画像信号に所定の画像処理を施す一連の動作）が行われる。このように、撮像装置１は、レリーズボタン１１が半押し状態Ｓ１にされると撮影準備指示が付与されたものとみなし、レリーズボタン１１が全押し状態Ｓ２にされると撮影指示が付与されたものとみなす。
【００２１】
図２において、カメラ本体部２の背面略中央上部には、ファインダ窓（接眼窓）１０が設けられている。撮影者は、ファインダ窓１０を覗くことによって、撮影レンズユニット３から導かれた被写体の光像を視認して構図決定を行うことができる。すなわち、光学ファインダを用いて構図決めを行うことが可能である。
【００２２】
なお、この実施形態に係る撮像装置１においては、背面モニタ１２（後述）に表示されるライブビュー画像を用いて構図決めを行うことも可能である。また、光学ファインダによる構図決め動作とライブビュー表示による構図決め動作との切換操作は、操作者が切換ダイヤル８７を回転させることによって実現される。
【００２３】
図２において、カメラ本体部２の背面の略中央には、背面モニタ１２が設けられている。背面モニタ１２は、例えばカラー液晶ディスプレイ（ＬＣＤ）として構成される。背面モニタ１２は、撮影条件等を設定するためのメニュー画面を表示すること、および再生モードにおいてメモリカード９０に記録された撮影画像を再生表示することなどが可能である。また、操作者が光学ファインダによる構図決めではなくライブビュー表示による構図決めを選択した場合には、背面モニタ１２には、撮像素子７（後述）によって取得された時系列の複数の画像（すなわち動画像）がライブビュー画像として表示される。
【００２４】
背面モニタ１２の左上部には電源スイッチ（メインスイッチ）８１が設けられている。電源スイッチ８１は２点スライドスイッチからなり、接点を左方の「ＯＦＦ」位置に設定すると、電源がオフになり、接点の右方の「ＯＮ」位置に設定すると、電源がオンになる。
【００２５】
背面モニタ１２の右側には方向選択キー８４が設けられている。この方向選択キー８４は円形の操作ボタンを有し、この操作ボタンにおける上下左右の４方向の押圧操作と、右上、左上、右下及び左下の４方向の押圧操作とが、それぞれ検出されるようになっている。なお、方向選択キー８４は、上記８方向の押圧操作とは別に、中央部のプッシュボタンの押圧操作も検出されるようになっている。
【００２６】
背面モニタ１２の左側には、メニュー画面の設定、画像の削除などを行うための複数のボタンからなる設定ボタン群８３が設けられている。
【００２７】
＜２．機能ブロック＞
つぎに、図３を参照しながら、撮像装置１の機能の概要について説明する。図３は、撮像装置１の機能構成を示すブロック図である。
【００２８】
図３に示すように、撮像装置１は、操作部８０、全体制御部１０１、フォーカス制御部１２１、ミラー制御部１２２、シャッタ制御部１２３、タイミング制御回路１２４，１２５、およびデジタル信号処理回路４０，５０等を備える。
【００２９】
操作部８０は、レリーズボタン１１（図１参照）を含む各種ボタンおよびスイッチ等を備えて構成される。操作部８０に対するユーザーの入力操作に応答して、全体制御部１０１が各種動作を実現する。
【００３０】
全体制御部１０１は、マイクロコンピュータとして構成され、主にＣＰＵ、メモリ、及びＲＯＭ（例えばＥＥＰＲＯＭ）等を備える。全体制御部１０１は、ＲＯＭ内に格納されるプログラムを読み出し、当該プログラムをＣＰＵで実行することによって、各種機能を実現する。
【００３１】
例えば、全体制御部１０１は、ライブビュー機能（被写体に関する時系列の画像を順次に液晶表示部等に表示する機能、換言すれば被写体の画像を動画的態様で液晶表示部等に表示する機能）に関する動作を制御する。詳細には、全体制御部１０１は、画像処理制御部１１１および表示制御部１１２を有している。画像処理制御部１１１は、フィルタ処理部４７を制御して、撮像素子７（後述）によって取得された撮影画像に対して、ぼかしフィルタ処理（例えば平滑化フィルタ処理）を施す画像処理を実行する。また、表示制御部１１２は、ぼかしフィルタ処理が施された撮影画像を背面モニタ１２に表示する動作等を制御する。
【００３２】
また、全体制御部１０１は、ＡＦモジュール２０およびフォーカス制御部１２１等と協動して、フォーカスレンズの位置を制御する合焦制御動作を行う。全体制御部１０１は、ＡＦモジュール２０によって検出される被写体の合焦状態に応じて、フォーカス制御部１２１を用いてＡＦ動作を実現する。なお、ＡＦモジュール２０は、ミラー機構６を介して進入してきた光を用いて、位相差方式等の合焦状態検出手法により被写体の合焦状態を検出することが可能である。
【００３３】
フォーカス制御部１２１は、全体制御部１０１から入力される信号に基づいて制御信号を生成しモータＭ１を駆動することによって、撮影レンズユニット３のレンズ群３７に含まれるフォーカスレンズを移動する。また、フォーカスレンズの位置は、撮影レンズユニット３のレンズ位置検出部３９によって検出され、フォーカスレンズの位置を示すデータが全体制御部１０１に送られる。このように、フォーカス制御部１２１および全体制御部１０１等は、フォーカスレンズの光軸方向の動きを制御する。
【００３４】
ミラー制御部１２２は、ミラー機構６が光路から退避した状態（ミラーアップ状態）とミラー機構６が光路を遮断した状態（ミラーダウン状態）との状態切替を制御する。ミラー制御部１２２は、全体制御部１０１から入力される信号に基づいて制御信号を生成しモータＭ２を駆動することによって、ミラーアップ状態とミラーダウン状態とを切り替える。
【００３５】
シャッタ制御部１２３は、全体制御部１０１から入力される信号に基づいて制御信号を生成しモータＭ３を駆動することによって、シャッタ４の開閉を制御する。
【００３６】
タイミング制御回路１２５は、撮像素子５等に対するタイミング制御を行う。
【００３７】
撮像素子（ここではＣＣＤセンサ（単にＣＣＤとも称する））５は、光電変換作用により被写体の光像を電気的信号に変換して、本撮影画像に係る画像信号（記録用の画像信号）を生成する。撮像素子５は、記録画像取得用の撮像素子であるとも表現される。
【００３８】
撮像素子５は、タイミング制御回路１２５から入力される駆動制御信号（蓄積開始信号および蓄積終了信号）に応答して、受光面に結像された被写体像の露光（光電変換による電荷蓄積）を行い、当該被写体像に係る画像信号を生成する。また、撮像素子５は、タイミング制御回路１２５から入力される読出制御信号に応答して、当該画像信号を信号処理部５１へ出力する。また、タイミング制御回路１２５からのタイミング信号（同期信号）は、信号処理部５１及びＡ／Ｄ（アナログ／デジタル）変換回路５２にも入力される。
【００３９】
撮像素子５で取得された画像信号は、信号処理部５１において所定のアナログ信号処理が施され、当該アナログ信号処理後の画像信号はＡ／Ｄ変換回路５２によってデジタル画像データ（画像データ）に変換される。この画像データは、デジタル信号処理回路５０に入力される。
【００４０】
デジタル信号処理回路５０は、Ａ／Ｄ変換回路５２から入力される画像データに対してデジタル信号処理を行い、撮像画像に係る画像データを生成する。デジタル信号処理回路５０は、黒レベル補正回路５３、ホワイトバランス（ＷＢ）回路５４、γ補正回路５５及び画像メモリ５６を備える。
【００４１】
黒レベル補正回路５３は、Ａ／Ｄ変換回路５２が出力した画像データを構成する各画素データの黒レベルを基準の黒レベルに補正する。ＷＢ回路５４は、画像のホワイトバランス調整を行う。γ補正回路５５は、撮像画像の階調変換を行う。画像メモリ５６は、生成された画像データを一時的に記憶するための、高速アクセス可能な画像メモリであり、複数フレーム分の画像データを記憶可能な容量を有する。
【００４２】
本撮影時には、画像メモリ５６に一時記憶される画像データは、全体制御部１０１において適宜画像処理（圧縮処理等）が施された後、カードＩ／Ｆ１３２を介してメモリカード９０に記憶される。
【００４３】
また、画像メモリ５６に一時記憶される画像データは、全体制御部１０１によって適宜ＶＲＡＭ１３１に転送され、背面モニタ１２に画像データに基づく画像が表示される。これによって、本撮影に関する確認用画像であるアフタービュー画像を撮影指示に応じて表示する確認表示（アフタービュー表示）、および撮影済みの画像を再生する再生表示等が実現される。
【００４４】
なお、撮像素子５、タイミング制御回路１２５、信号処理部５１、Ａ／Ｄ変換回路５２、およびデジタル信号処理回路５０等は、撮像素子５による撮影画像の形成処理に関する処理部（画像形成処理部）１５０を構成する。
【００４５】
また、この撮像装置１は、撮像素子５とは別の撮像素子７（図４も参照）をさらに備えている。撮像素子７は、いわゆるライブビュー画像取得用（動画取得用）の撮像素子としての役割を果たす。撮像素子７も、撮像素子５と同様の構成を有している。ただし、撮像素子７は、ライブビュー用の画像信号（動画像）を生成するための解像度を有していればよく、通常、撮像素子５よりも少ない数の画素で構成される。
【００４６】
撮像装置１は、撮像素子７による撮影画像の形成処理に関する処理部（画像形成処理部）１４０をさらに備えている。画像形成処理部１４０は、画像形成処理部１５０と同様の構成を有している。具体的には、画像形成処理部１４０は、撮像素子７、タイミング制御回路１２４、信号処理部４１、Ａ／Ｄ変換回路４２、およびデジタル信号処理回路４０等によって構成される。
【００４７】
撮像素子７で取得された画像信号に対しては、撮像素子５で取得された画像信号と同様の信号処理が、画像形成処理部１４０によって施される。
【００４８】
具体的には、撮像素子７で取得された画像信号は、信号処理部４１で所定の処理が施され、Ａ／Ｄ変換回路４２でデジタルデータに変換された後、デジタル信号処理回路４０で所定の画像処理が施され、画像メモリ４６に格納される。
【００４９】
後述する山登りＡＦ（撮像素子で取得された画像信号のコントラスト等の所定の評価値を用いて合焦動作を行う自動合焦制御）は、この画像信号を用いて実行される。なお、この撮像装置１は、ＥＶＦ方式による構図決め動作（後述）においては、２種類のＡＦ方式（具体的には、位相差ＡＦ方式および山登りＡＦ方式）を併用する。
【００５０】
一方、ライブビュー表示も、撮像素子７による当該画像信号に基づいて行われる。具体的には、撮像素子７で取得され画像メモリ４６に格納される時系列の画像データは、全体制御部１０１によって適宜ＶＲＡＭ１３１に順次に転送され、当該時系列の画像データに基づく複数の画像が背面モニタ１２に順次に表示される。これによって、構図決めを行うための動画的態様の表示（ライブビュー表示）が実現される。
【００５１】
ただし、ライブビュー表示に用いられる画像としては、撮像素子７により取得された画像に対して更にフィルタ処理部４７によるフィルタ処理が施された画像が用いられる。フィルタ処理の詳細等については後述する。当該フィルタ処理後の時系列の撮影画像を用いたライブビュー表示によれば、撮像素子５による本撮影画像におけるぼけ具合がシミュレートされた画像が背面モニタ１２に表示されるので、当該本撮影画像におけるぼけ具合を確認することが可能である。
【００５２】
＜３．撮影動作＞
＜概要＞
つぎに、この撮像装置１における構図決め動作を含む撮影動作について説明する。上述したように、この撮像装置１においては、ファインダ光学系等で構成される光学ファインダ（光学ビューファインダ（ＯＶＦ）とも称される）を用いて構図決め（フレーミング）を行うことが可能であるとともに、背面モニタ１２に表示されるライブビュー画像を用いて構図決めを行うことも可能である。ライブビュー画像は、被写体に関する時系列の画像であって表示部（背面モニタ１２等）に順次に表示される画像、換言すれば被写体の画像を動画的態様で表示する画像である、とも表現される。なお、撮像素子７および背面モニタ１２を利用して実現されるファインダ機能は、被写体の光像を電子データに変換した後に可視化するものであることから電子ビューファインダ（ＥＶＦ）とも称される。
【００５３】
上述したように、操作者は切換ダイヤル８７を操作することによって、光学ビューファインダ（ＯＶＦ）を用いて構図決めを行うか、操作者が電子ビューファインダ（ＥＶＦ）を用いて構図決めを行うかを選択することができる。
【００５４】
図４および図５は、撮像装置１の断面図である。図４は、ＯＶＦを用いた構図決め動作を示しており、図５は、ＥＶＦを用いた構図決め動作を示している。また、図６は、露光動作時（詳細にはＯＶＦ時）の状態を示す断面図である。
【００５５】
図４等に示すように、撮影レンズユニット３から撮像素子５に至る光路（撮影光路）上にはミラー機構６が設けられている。ミラー機構６は、撮影光学系からの光を上方に向けて反射する主ミラー６１（主反射面）を有している。この主ミラー６１は、例えばその一部または全部がハーフミラーとして構成され、撮影光学系からの光の一部を透過する。また、ミラー機構６は、主ミラー６１を透過した光を下方に反射させるサブミラー６２（副反射面）をも有している。サブミラー６２で下方に反射された光は、ＡＦモジュール２０へと導かれて入射し、位相差方式のＡＦ動作に利用される。
【００５６】
撮影モードにおいてレリーズボタン１１が全押し状態Ｓ２にされるまで、換言すれば構図決めの際には、ミラー機構６はミラーダウン状態となるように配置される（図４および図５参照）。そして、この際には、撮影レンズユニット３からの被写体像は、主ミラー６１で上方に反射され観察用光束としてペンタミラー６５に入射する。ペンタミラー６５は、複数のミラー（反射面）を有しており、被写体像の向きを調整する機能を有している。また、ペンタミラー６５に入射した後の、観察用光束の進路は、上記の両方式（すなわちＯＶＦ方式およびＥＶＦ方式）のいずれを採用して構図決めを行うかに応じて異なっている。これについては後述する。操作者は、選択した所望の方式によって構図決めを行うことが可能である。
【００５７】
一方、レリーズボタン１１が全押し状態Ｓ２にされると、ミラー機構６はミラーアップ状態となるように駆動され、露光動作が開始される（図６参照）。被写体に係る記録用静止画像（本撮影画像とも称する）を取得する際の基本的動作（すなわち露光の際の動作）は、上記の両方式（すなわちＯＶＦ方式およびＥＶＦ方式）による構図決めに共通である。
【００５８】
具体的には、図６に示すように、露光時には、ミラー機構６は、撮影光路から待避する。詳細には、撮影光学系からの光（被写体像）を遮らないように主ミラー６１とサブミラー６２とが上方に待避し、撮影レンズユニット３からの光が、主ミラー６１で反射されることなく進行して、シャッタ４の開放タイミングに合わせて撮像素子５に到達する。撮像素子５は、光電変換によって、受光した光束に基づいて被写体の画像信号を生成する。このように、被写体からの光束（被写体像）が撮影レンズユニット３を通過して撮像素子５に導かれることによって、被写体に係る撮影画像（撮影画像データ）が得られる。
【００５９】
＜光学ファインダによる構図決め動作（フレーミング動作）＞
次に、構図決めの際の上記両方式の各動作についてそれぞれ説明する。
【００６０】
まず、ＯＶＦ方式の構図決め動作について説明する。
【００６１】
図４に示すように、ミラー機構６の主ミラー６１およびサブミラー６２が、撮影レンズユニット３からの被写体像の光路上に配置されると、被写体像が主ミラー６１とペンタミラー６５と接眼レンズ６７とを介してファインダ窓１０へと導かれる。このように、主ミラー６１とペンタミラー６５と接眼レンズ６７とを含むファインダ光学系は、撮影光学系からの光束であって主ミラー６１で反射された光束である観察用光束をファインダ窓１０へと導くことが可能である。
【００６２】
詳細には、撮影レンズユニット３からの光は、主ミラー６１で反射されて上方に進路を変更し、焦点板６３において結像し、焦点板６３を通過する。その後、焦点板６３を通過した光は、ペンタミラー６５でその進路をさらに変更した後に接眼レンズ６７を通ってファインダ窓１０へ向かう（図４の光路ＰＡ参照）。このようにして、ファインダ窓１０を通過した被写体像は撮影者（観察者）の眼へ到達して視認される。すなわち、撮影者はファインダ窓１０を覗くことによって、被写体像を確認することができる。
【００６３】
ここにおいて、ペンタミラー６５は、三角屋根状に形成された２面のミラー（ダハミラー）６５ａ，６５ｂと、当該ダハミラー（ダハ面）６５ａ，６５ｂに対して固定された面６５ｃと、もう１つのミラー（反射面）６５ｅとを有している。また、三角屋根状の２面のミラー６５ａ，６５ｂは、プラスチック成型により一体部品６５ｄとして形成されている。主ミラー６１で反射されて上方に進路を変更した光は、ダハミラー６５ａ，６５ｂで反射されて左右反転されて進行し、さらにミラー６５ｅでも反射されることによって上下も反転されて撮影者の眼に到達する。このように、撮影レンズユニット３において左右上下が反転されていた光像は、ペンタミラー６５でさらに左右上下が反転される。これにより、撮影者は、光学ファインダにおいて、その上下左右が実際の被写体と同じ状態で被写体像を観察することができる。
【００６４】
なお、ここでは、ファインダ光学系の一部である光学ユニットＵ１が撮像装置１内部の上部空間ＳＵに設けられている。この光学ユニットＵ１は、接眼レンズ６７とファインダ窓１０とを有するととともに、駆動手段（不図示）によって開閉可能なアイピースシャッタ１６をさらに有している。ＯＶＦ方式の構図決め動作時においては、アイピースシャッタ１６は開放されており、ペンタミラー６５からの被写体像がファインダ窓１０を通過するように構成されている。
【００６５】
また、主ミラー６１を透過した光はサブミラー６２で反射されて下方に進路を変更しＡＦモジュール２０へと進入する。ＡＦモジュール２０およびフォーカス制御部１２１等は、主ミラー６１およびサブミラー６２を介して進入してきた光を用いて、ＡＦ動作を実現する。
【００６６】
＜電子ファインダによる構図決め動作（フレーミング動作）＞
次に、ＥＶＦ方式による構図決め動作について説明する。
【００６７】
この場合にも、図５に示すように、ミラー機構６の主ミラー６１およびサブミラー６２が、撮影レンズユニット３からの被写体像の光路上に配置される。そして、撮影レンズユニット３からの光は、主ミラー６１で反射されて上方に進路を変更し、焦点板６３において結像し、焦点板６３を通過する。
【００６８】
ただし、このＥＶＦ方式による構図決め動作においては、焦点板６３を通過した光は、ペンタミラー６５でその進路をさらに変更した後に、ビームスプリッタ７１でさらにその進路を変更して結像レンズ６９（結像光学系）を通過して撮像素子７の撮像面上で再結像する（図５の光路ＰＢ参照）。なお、主ミラー６１で反射されて上方に進路を変更した光は、ダハミラー６５ａ，６５ｂで反射されて左右反転されて進行し、さらにミラー６５ｅでも反射されることによって上下も反転され、さらに結像レンズ６９で上下左右反転されて撮像素子７に到達する。
【００６９】
より詳細には、図４と比較すると判るように、図５においてはミラー６５ｅの角度（カメラ本体部２に対する設置角度）が変更されている。具体的には、ミラー６５ｅは、図４の状態から、その下端側の軸ＡＸ１を中心に矢印ＡＲ１の向きに所定角度α回動している。なお、ミラー６５ｅは、切換ダイヤル８７の操作に応じて回動する。具体的には、操作者による切換ダイヤル８７に対する回転操作力が、所定の伝達機構（不図示）によりミラー６５ｅの回転軸に対して伝達されることによって、ミラー６５ｅが回動する。
【００７０】
そして、このミラー６５ｅの角度変更によって、ミラー６５ｅで反射される光（観察用光束）の反射角度が変更され、当該ミラー６５ｅによる反射光の進行経路が変更される。具体的には、図４の状態に比べて、ミラー６５ｅへの入射角度θ１が比較的小さくなり、反射角度θ２も比較的小さくなる。その結果、ミラー６５ｅの反射光は、接眼レンズ６７に向かう光路からダハミラー６５ａ，６５ｂ寄りの光路へとその進路を上方に変更してビームスプリッタ７１に向かい、ビームスプリッタ７１でさらにその進路を変更して結像レンズ６９を通過して撮像素子７に到達する。なお、ビームスプリッタ７１、結像レンズ６９および撮像素子７は、接眼レンズ６７よりも上方に配置されており、且つ、ＯＶＦの際にミラー６５ｅから接眼レンズ６７へと進行する光束を遮らない位置に配置されている。
【００７１】
また、ミラー６５ｅで反射された光束の進路は、ミラー６５ｅの変更角度αに応じて、その２倍の大きさの角度β（＝２×α）変更される。逆に言えば、反射光路の進行角度を角度β変更するために、ミラー６５ｅの回転角度は、当該角度βの半分の角度αで済む。すなわち、ミラー６５ｅの比較的小さな回転角度でミラー６５ｅの反射光の進路を比較的大きく変更することが可能である。また、ミラー６５ｅと撮像素子７とは光学的に比較的離れて配置されているため、ミラー６５ｅの回転角度を小さく変更するだけで、ミラー６５ｅによる２つの反射光を、互いに離れて配置された接眼レンズ６７および撮像素子７へと確実に導くことが可能である。すなわち、ミラー６５ｅの回転角度を小さく変更することによってミラー６５ｅによる反射光の光束を良好に２つの光路に選択的に進行させることが可能である。したがって、ミラー６５ｅの回転によるスペースの増大は最小限に止められる。
【００７２】
撮像素子７は、ミラー６５ｅで反射され結像レンズ６９を通過して撮像素子７に到達した被写体像に基づいて、ライブビュー画像を生成する。具体的には、微小時間間隔（例えば、１／６０秒）で複数の画像を順次に生成する。そして、取得された時系列の画像は背面モニタ１２において順次に表示される。これによって、撮影者は、背面モニタ１２に表示される動画像（ライブビュー画像）を視認し、当該動画像を用いて構図決めを行うことが可能になる。
【００７３】
また、この場合も、ＯＶＦによる構図決めの際（図４参照）と同様に、主ミラー６１とサブミラー６２とを介してＡＦモジュール２０に入射した光を用いてＡＦ動作が実現される。
【００７４】
なお、ＥＶＦ方式の構図決め動作時においては、ファインダ窓１０からの光が上部空間ＳＵへと入射しないように、アイピースシャッタ１６が閉じられている。
【００７５】
以上のように、ミラー６５ｅで反射した後の観察用光束の進路（詳細には主進路）は、ミラー６５ｅの反射角度の変更によって、ミラー６５ｅから接眼レンズ６７およびファインダ窓１０に向かう光路ＰＡ（図４）と、ミラー６５ｅから結像レンズ６９および撮像素子７に向かう光路ＰＢ（図５）との間で切り換えられる。換言すれば、当該観察用光束の進路は、ミラー６５ｅの反射角度の変更によって、ミラー６５ｅで反射されてファインダ窓１０に向かう第１の光路ＰＡと、ミラー６５ｅで反射されて撮像素子７に向かう第２の光路ＰＢとの間で切り換えられる。
【００７６】
＜４．ライブビュー画像＞
つぎに、ライブビュー画像の生成動作等について詳細に説明する。なお、ここでは、ポートレート撮影などにおいて、絞りを開放側に設定し被写界深度を浅くして主被写体以外の被写体を意図的にぼかした画像を撮影する場合を想定する。
【００７７】
図７の背面図には、ライブビュー画像ＶＬが背面モニタ１２に表示されている様子が示されている。例えば、図７の背面モニタ１２に示すような構図、すなわち、画面中央の主被写体（人物）が、その周囲の比較的遠距離の被写体（木）を背景として、比較的近距離に存在する構図を想定する。このような構図を、開放側もしくは開放側に近い絞り値で、主被写体を合焦状態にして撮影すると、遠景部分において「ぼけ」が生じる。この「ぼけ」を用いた撮影技法は、主被写体を際立たせる技法の１つである。
【００７８】
ここにおいて、このようなポートレート撮影等では、撮影レンズユニット３において、一般的に比較的明るいレンズが用いられる。換言すれば、撮影レンズユニット３の開放Ｆ値は、一般的に比較的小さな値（例えば、Ｆ＝１．４）である。これにより、「ぼけ」の程度が比較的大きな画像が得られる。
【００７９】
一方、撮像装置１のファインダ光学系においては、そのサイズ等に起因して、撮影レンズユニット３からの光を全て利用することは困難である。したがって、撮像装置１のファインダ光学系の開放Ｆ値（撮影レンズユニット３の絞りが開放された状態でのＦ値）は、一般的に、比較的大きな値（例えば、Ｆ＝４．０）であり、撮影レンズユニット３の開放Ｆ値よりも大きい。このため、ファインダ光学系を介した被写体像は、比較的深い被写界深度を有するものとなる。例えば、当該ファインダ光学系からの被写体像をライブビュー用の撮像素子７で受光して得られるライブビュー画像は、比較的大きなＦ値に対応する画像になる。すなわち、ファインダ光学系で取得された画像をそのまま用いる場合には、「ぼけ」の程度が比較的小さな（弱い）画像しか表現できない。
【００８０】
このように、比較的暗い光学系に配置された撮像素子による画像をそのまま用いる場合には、比較的明るい光学系（撮影レンズ）による撮影状況を再現することは非常に困難である。すなわち、撮像素子７で取得された撮影画像をそのまま背面モニタ１２に表示するのでは、撮像素子５による本撮影画像におけるぼけ具合を確認することができない。なお、このような撮影状況においては、光学ファインダ（ＯＶＦ）による構図決め動作においても、本撮影画像におけるぼけ具合を確認することも困難である。
【００８１】
そこで、この実施形態においては、撮像素子７による撮影画像に対して、ぼかしフィルタ処理（例えば、平滑化フィルタ処理）を施し、当該ぼかしフィルタ処理が施された撮影画像をライブビュー画像として背面モニタ１２に表示する。これによれば、撮像素子５による本撮影画像におけるぼけ具合を、撮像素子７による画像を用いてシミュレートすることが可能である。
【００８２】
ここでは、図８（正確には図９）に示すような、３×３のサイズのガウシアンフィルタ（平滑化フィルタの１つ）を「ぼかしフィルタ」として用いるものとする。
【００８３】
また、ガウシアンフィルタ内の各位置（ｐ，ｑ）における要素値ｆｎ（ｐ，ｑ）は、自然対数の底（ネーピアの数）ｅ（＝２．７１８２８...）等を用いて、式（１）で表現される。ただし、値ｆｎ（ｐ，ｑ）は、正規化（後述）される前のフィルタの要素値である。
【００８４】
【数１】
2009219085.tif 000003
【００８５】
また、変数σは、式（２）で表現される。
【００８６】
【数２】
2009219085.tif 000004
【００８７】
ここにおいて、値ｋは定数であり、値ΔＤは撮影画像内での注目画素の位置におけるデフォーカス量を表し、値Ｆは本撮影露光時における撮影レンズユニット３の絞り値（Ｆ値）であり、値ｆは撮影レンズユニット３の焦点距離であり、値Ｌは撮像装置１から合焦状態の被写体までの距離である。なお、図１１に示すような幾何学的関係に基づき、撮影倍率ＭＧ（＝ｙ／Ｙ）は、値ｆ／Ｌに等しい（ＭＧ＝ｆ／Ｌ）。なお、距離ｙは、撮像面（撮像素子）上での被写体のＹ方向（縦方向）の長さを表しており、距離Ｙは、Ｙ方向における被写体の実際の長さ（実空間での長さ）を表している。同様に、距離ｘは、撮像面上での被写体のＸ方向（横方向）の長さを表しており、距離Ｘは、Ｘ方向における被写体の実際の長さ（実空間での長さ）を表している。
【００８８】
この「ぼかしフィルタ」は、撮像素子７による撮影画像の全画素のそれぞれについて作成される。そして、当該撮影画像の全画素のそれぞれに関して、対応する「ぼかしフィルタ」によるフィルタ処理が実行される。
【００８９】
具体的には、撮影画像内の或る注目画素に関するフィルタ処理においては、まず、対応する「ぼかしフィルタ」の中央の要素値（ｆｎ（０，０））が撮影画像における注目画素の画素値に対して乗算される。また、当該「ぼかしフィルタ」の周辺８要素の要素値（ｆｎ（−１，−１），...，ｆｎ（１，１））が、撮影画像における注目画素の周辺８画素の画素値に対してそれぞれ乗算される。そして、これら９個の乗算値が加算された値が、当該注目画素のフィルタ処理後の値として算出される。
【００９０】
ただし、ここでは、当該９個の乗算値の加算値として算出された値をさらに正規化した値を、当該注目画素のフィルタ処理後の値として算出する。具体的には、図９に示すような「ぼかしフィルタ」、すなわち、各要素が予め正規化された「ぼかしフィルタ」を用いる。図９のフィルタの各要素値ｇ（ｐ，ｑ）は、図８のフィルタ要素の各値ｆｎ（ｐ，ｑ）を、９個のフィルタ要素のｆｎ（ｉ，ｊ）の和で除算した値として算出される（式（３）参照）。
【００９１】
【数３】
2009219085.tif 000005
【００９２】
また、図１０は、ぼかしフィルタの数値例を示す図である。図１０の左列には、図８に対応するフィルタの数値例が配置されており、図１０の右列には、図９に対応するフィルタの数値例が配置されている。また、図１０においては、最下段から最上段へ向けて「ぼけ」の程度が徐々に大きくなる５段階のフィルタが例示されている。
【００９３】
具体的には、図１０の最下段においては、σ＝０．２のときのフィルタ（その強度が比較的弱いフィルタ）が示されている。当該フィルタにおいては、中央の要素がほぼ１であり、周囲の８つの要素がほぼゼロである。これによれば、フィルタ処理前の中央画素の値がそのままフィルタ処理後の中央画素の値となるため、「ぼけ」が生じていない状態、換言すれば比較的先鋭な状態を表現することができる。
【００９４】
また、図１０の最上段においては、σ＝５のときのフィルタ（その強度が比較的強いフィルタ）が示されている。当該フィルタにおいては、中央要素の値とその周辺要素の値とは略同等な値である。これによれば、注目画素のフィルタ処理後の画素値として、周辺画素の値を取り込み平滑化された画素値を得ることができる。すなわち、ぼけた状態を表現することができる。
【００９５】
さらに、最下段と最上段との間には、σ＝０．３３３３３３...，１，３にそれぞれ対応する中間的な３種類のフィルタが示されている。比較的上側のフィルタに関する中央要素の値に対するその周辺要素の値の割合は、比較的下側のフィルタに関する中央要素の値に対するその周辺要素の値の割合に比べて高い。すなわち、比較的上側のフィルタによる「ぼけ」の程度は、比較的下側のフィルタによる「ぼけ」の程度よりも大きい。
【００９６】
また、この実施形態においては、式（２）に示すように、撮影画像内の位置ごとに異なる強度を有するフィルタを用いる。具体的には、注目画素の撮影画像内での位置におけるデフォーカス量ΔＤにも応じたフィルタを用いる。換言すれば、撮影画像内の各位置における「ぼかしフィルタ」の強度は、撮影画像内の各位置におけるデフォーカス量に応じて変更される。
【００９７】
図１２は、デフォーカス量ΔＤを説明する概念図である。例えば、図７において、中央の人物が合焦状態である場合には、本撮影画像における遠景の「木」は、合焦状態からずれている。すなわちデフォーカス状態になっている。
【００９８】
図１２の曲線Ｃ１に示すように、山登りＡＦ（ビデオＡＦとも称する）においては、或る画素位置（例えば中央の人物被写体に対応する位置）Ｐ１（図７参照）のコントラスト評価値は、レンズ位置に応じて変化する。図１２においては、曲線Ｃ１の極値（極大値）に対応するレンズ位置が合焦レンズ位置として取得され、撮影レンズユニット３内のフォーカスレンズが当該合焦レンズ位置に移動される。
【００９９】
一方、当該画素位置Ｐ１以外の位置Ｐ２（例えば画面内周辺部の木に対応する位置）（図７参照）におけるコントラスト評価値は、図１２の曲線Ｃ２に示すように、レンズ位置に応じて変化する。この位置Ｐ２に関する合焦レンズ位置（曲線Ｃ２の極大値）は、曲線Ｃ１の合焦レンズ位置（曲線Ｃ１の極大値）から距離ΔＤずれている。
【０１００】
したがって、撮影レンズユニット３内のフォーカスレンズが、位置Ｐ１に関する合焦レンズ位置に存在する場合には、当該画素位置Ｐ１以外の位置（例えば画面内周辺部の木に対応する位置）Ｐ２では、デフォーカス状態が生じている。例えば、中央の人物（図７参照）が合焦状態である場合には、本撮影画像における遠景の「木」は、非合焦状態である。このとき、位置Ｐ２におけるデフォーカス量ΔＤは、図１２の値ΔＤで表現される。また、位置Ｐ１におけるデフォーカス量ΔＤは、ゼロである。
【０１０１】
なお、ここでは、位置Ｐ１，Ｐ２のデフォーカス量ΔＤについて説明したが、同様にして、撮影画像内の各位置におけるデフォーカス量ΔＤが求められる。
【０１０２】
そして、このような各位置におけるデフォーカス量ΔＤが、上記の式（２）における値ΔＤとして採用される。この結果、画像内の位置ごとに互いに異なる強度の「ぼかしフィルタ」が設定され、各ぼかしフィルタによるフィルタ処理が撮像素子７による撮影画像に対して各位置ごとに適用される。
【０１０３】
詳細には、式（２）に示すようにデフォーカス量ΔＤが大きくなるにつれて値σが大きくなり、フィルタ強度が大きくなる。逆に、デフォーカス量ΔＤが小さくなるにつれて値σが小さくなり、フィルタ強度が小さくなる。
【０１０４】
これによれば、デフォーカス量ΔＤが比較的大きな位置においてぼけの程度が比較的大きな画像を得ることができる。したがって、本撮影時における実際のぼけ具合に近い画像を生成することが可能である。
【０１０５】
また、この実施形態においては、撮影画像内の各位置における「ぼかしフィルタ」の強度は、本撮影時（本撮影用の露光時）における撮影レンズユニット３の絞り値に応じて変更される。具体的には、式（２）に示すように、撮影レンズユニット３の絞り値（Ｆ値）が小さくなるにつれて値σが大きくなり、フィルタ強度が大きくなる。逆に、当該Ｆ値が大きくなるにつれて値σが小さくなり、フィルタ強度が小さくなる。
【０１０６】
これによれば、Ｆ値が比較的小さい場合には、画像全体にわたってぼけの程度が比較的大きな画像を得ることができる。したがって、本撮影時における実際のぼけ具合に近い画像を生成することが可能である。
【０１０７】
さらに、この実施形態においては、撮影画像内の各位置における「ぼかしフィルタ」の強度は、本撮影時における撮影倍率ＭＧに応じて変更される。
【０１０８】
具体的には、式（２）に示すように撮影倍率ＭＧが大きくなるにつれて値σが大きくなり、フィルタ強度が大きくなる。逆に、撮影倍率ＭＧが小さくなるにつれて値σが小さくなり、フィルタ強度が小さくなる。
【０１０９】
換言すれば、式（２）に示すように焦点距離ｆが大きくなるにつれて値σが大きくなり、フィルタ強度が大きくなる。逆に、焦点距離ｆが小さくなるにつれて値σが小さくなり、フィルタ強度が小さくなる。例えば、望遠撮影においては、焦点距離ｆが大きいため、比較的大きな強度を有するフィルタが用いられる。また、式（２）に示すように、合焦状態の被写体までの距離Ｌが小さくなるにつれて値σが大きくなり、フィルタ強度が大きくなる。逆に、当該距離Ｌが大きくなるにつれて値σが小さくなり、フィルタ強度が小さくなる。例えば、マクロ撮影においては、距離Ｌが小さいため、比較的大きな強度を有するフィルタが用いられる。
【０１１０】
これによれば、撮影倍率ＭＧが比較的大きな位置においてぼけの程度が比較的大きな画像を得ることができる。したがって、本撮影時における実際のぼけ具合に近い画像を生成することが可能である。
【０１１１】
＜５．詳細動作＞
つぎに、図１３のフローチャートを参照して、ライブビュー画像の生成動作について説明する。撮像装置１の全体制御部１０１においては、図１３に示すような処理ルーチンが微小時間（例えば１／６０秒）間隔で実行される。
【０１１２】
ここでは、図１３の処理ルーチンが開始される前において、まず、切換ダイヤル８７を用いた操作によって、ＥＶＦ方式による構図決めが予め選択されているものとする。また、レリーズボタン１１が半押し状態Ｓ１にまで押下され、位相差ＡＦ方式と山登りＡＦ方式（ビデオＡＦ方式）とが併用されたＡＦ動作が既に実行されているものとする。さらに、撮影レンズユニット３の絞りは、開放Ｆ値に設定されているものとする。なお、これに限定されず、操作者による手動設定操作あるいは撮像装置１による自動設定動作によって、撮影レンズユニット３の絞りは、本撮影時の絞り値に設定されてもよい。
【０１１３】
上述したように、ＥＶＦ方式においては、ミラー６５ｅは、下降した状態（ミラーダウン状態）である（図５参照）。このとき、撮影レンズユニット３を通過した被写体像は、主ミラー６１およびミラー６５ｅ等で反射され結像レンズ６９を通過して撮像素子７に到達する。そして、撮像素子７は、当該被写体像を光電変換して画像データを生成する（ステップＳＰ１１）。すなわち、撮像素子７は、撮影レンズユニット３の全部（或いは一部であってもよい）を通過した後に主ミラー６１で反射されファインダ光学系をも通過した被写体像を受光して画像（詳細には画像信号）を生成する。
【０１１４】
つぎに、ステップＳＰ１２において、カメラ本体部２側の全体制御部１０１は、撮影レンズユニット３と通信し、撮影レンズユニット３の焦点距離ｆおよび絞り値Ｆを取得する。
【０１１５】
また、ステップＳＰ１３において、全体制御部１０１は、ＡＦ動作による測距結果を取得する。
【０１１６】
上述したように、ここでは、山登りＡＦと位相差ＡＦとを併用したＡＦ動作が既に実行されているものとする。例えば、まず位相差ＡＦの結果に基づいて合焦状態付近にまでレンズを比較的高速で移動させ、その後に更にレンズを比較的低速で移動させる際における各レンズ位置と評価値（コントラスト評価値）との関係に基づく合焦位置決定動作（山登りＡＦ動作）を行えばよい。なお、このＡＦ動作においては、比較的広いレンズ位置範囲における評価値の変化を求めるため、比較的高速でレンズが移動する際にも各レンズ位置と評価値（コントラスト評価値）との関係を求めておくことが好ましい。あるいは、レンズ駆動域の全域にわたってレンズを高速移動させつつ各レンズ位置と評価値（コントラスト評価値）との関係を求めた後に、位相差ＡＦの結果に基づく合焦位置近傍にレンズを高速で移動させ、低速レンズ移動を伴う山登りＡＦ動作をさらに実行するようにしてもよい。
【０１１７】
このステップＳＰ１３においては、全体制御部１０１は、ＡＦ動作による測距結果として、全画素のそれぞれのデフォーカス量ΔＤを取得するとともに合焦位置での被写体距離Ｌをも取得する。この距離Ｌは、合焦レンズ位置と被写体距離との関係に基づいて、合焦状態の被写体に対する合焦レンズ位置（具体的には、図１２の曲線Ｃ１の極値に対応するレンズ位置）から算出される。また、合焦レンズ位置と被写体距離との関係は、撮像装置１内（例えば全体制御部１０１のＲＯＭ内）に予め記憶されている。なお、レンズ駆動域において極値（極大値）が決定不可能であるときには、デフォーカス量ΔＤが所定値ＤＴ以上であると判断して、当該所定値ＤＴ（あるいは値ＤＴより大きな値）をデフォーカス量ΔＤとして決定するようにしてもよい。
【０１１８】
その後、各位置におけるフィルタの各フィルタ係数が式（３）等に基づいて決定され、ステップＳＰ１１で取得された撮影画像に対してフィルタ処理（フィルタ演算処理）が施される（ステップＳＰ１４）。このとき、上述のような距離Ｌ、デフォーカス量ΔＤ、焦点距離ｆおよび絞り値Ｆが用いられる。
【０１１９】
そして、ステップＳＰ１５において、フィルタ処理が施された撮影画像が、ライブビュー画像として背面モニタ１２に表示される。
【０１２０】
以上のような動作が繰り返し実行されることによって、フィルタ処理後の時系列の画像が背面モニタ１２において順次に表示される。これによって、撮影者は、背面モニタ１２に表示される動画像（ライブビュー画像）を視認し、当該動画像を用いて構図決めを行うことが可能になる。
【０１２１】
特に、このライブビュー画像においては、撮像素子５による本撮影画像におけるぼけ具合がシミュレートされているため、当該本撮影画像におけるぼけ具合を本撮影前に確認することができる。また特に、比較的小さな絞り値による本撮影画像に関して、ぼけ具合を確認することが可能である。
【０１２２】
また特に、上述したように、比較的明るい光学系（撮影レンズ）による撮影状況においては、光学ファインダ（ＯＶＦ）による構図決め動作では、本撮影画像におけるぼけ具合を確認することは困難である。これに対して、上記実施形態に係るＥＶＦ方式の構図決め動作によれば、比較的明るい光学系（撮影レンズ）による撮影状況においても、本撮影画像のぼけ具合を確認することが可能になる。
【０１２３】
＜６．その他＞
以上、この発明の実施の形態について説明したが、この発明は上記説明した内容のものに限定されるものではない。
【０１２４】
たとえば、上記実施形態においては、撮像素子７による画像を用いて山登りＡＦ（ビデオＡＦ）と位相差ＡＦとの双方を併用してデフォーカス量ΔＤを求める場合を例示したが、これに限定されず、例えば、山登りＡＦと位相差ＡＦとのいずれか一方のみを用いてデフォーカス量ΔＤを求めるようにしてもよい。
【０１２５】
詳細には、位相差ＡＦのみを用いてデフォーカス量ΔＤを求めるようにしてもよい。
【０１２６】
図１４は、位相差ＡＦに用いられるＡＦエリアセンサＡＳｉの位置を画像に対応させて示す図である。図１４に示すように、例えば９つのＡＦエリアセンサを用いて、各ＡＦエリアセンサ位置でのデフォーカス量ΔＤを求めるようにしてもよい。
【０１２７】
あるいは、図１５に示すように、更に多数（例えば２５個）のＡＦエリアセンサＡＳｉｊを用いて、各ＡＦエリアセンサ位置でのデフォーカス量ΔＤを求めるようにしてもよい。
【０１２８】
なお、図１４および図１５において、ＡＦエリアセンサが配置されていない位置のデフォーカス量を、他の位置におけるデフォーカス量ΔＤに基づいて推定するようにしてもよい。例えば、図１５において、或る位置Ｐ３におけるデフォーカス量ΔＤは、当該位置Ｐ３の近隣の４つのＡＦエリアセンサＡＳ４１，ＡＳ４２，ＡＳ５１，ＡＳ５２の位置におけるデフォーカス量ΔＤを、当該位置Ｐ３と各ＡＦエリアセンサＡＳ４１，ＡＳ４２，ＡＳ５１，ＡＳ５２との距離比に応じて加重平均した値として求められればよい。
【０１２９】
また、山登りＡＦのみを用いてデフォーカス量ΔＤを求めるようにしてもよい。
【０１３０】
さらに、上記実施形態においては、ぼかしフィルタのサイズとして、３×３を例示したが、これに限定されない。例えば、５×５、あるいは、７×７などの他のサイズのぼかしフィルタを用いるようにしてもよい。
【０１３１】
また、上記実施形態においては、レリーズボタン１１が半押しされた後のライブビュー動作について例示した。具体的には、レリーズボタン１１が半押し状態Ｓ１にまで押下された状態からＡＦ動作が開始され、当該ＡＦ動作によりデフォーカス量ΔＤ等が算出され、当該デフォーカス量ΔＤ等に基づくフィルタ処理がライブビュー画像に対して施される場合を例示した。しかしながら、本発明は、これに限定されない。例えば、レリーズボタン１１が半押し状態Ｓ１にまで押下される前にも、位相差ＡＦ方式および／または山登りＡＦ方式等によるＡＦ動作が実行され、当該ＡＦ動作によりデフォーカス量ΔＤ等が算出され、当該デフォーカス量ΔＤ等に基づくフィルタ処理が施されるようにしてもよい。このような動作によれば、レリーズボタン１１が半押しされる前のライブビュー表示においても、本撮影におけるぼけ具合を確認することが可能である。
【０１３２】
また、上記実施形態においては、動画的態様のプレビュー画像であるライブビュー画像に関して「ぼかしフィルタ処理」を施す場合を例示したが、これに限定されない。例えば、静止画のプレビュー画像に関して「ぼかしフィルタ」処理を施すようにしてもよい。具体的には、所定ボタンの押下に応答して撮像素子７により取得された１枚の撮影画像に対して上記と同様の「ぼかしフィルタ」処理を施し、当該フィルタ処理後の画像を背面モニタ１２に所定期間（例えば１秒）にわたってプレビュー表示するようにしてもよい。
【０１３３】
また、上記実施形態においては、撮像素子５および撮像素子７に対して、それぞれ、デジタル信号処理回路５０およびデジタル信号処理回路４０が独立に設けられているが、これに限定されない。例えば、共通のデジタル信号処理回路４０によって、撮像素子５および撮像素子７に対する画像処理が施されても良い。
【０１３４】
また、上記実施形態においては、式（１）〜（３）に基づいて、ぼかしフィルタのフィルタ係数を逐次算出する場合を例示したが、これに限定されない。例えば、所定数（例えば数十個）のσに対応する所定数のフィルタを予め準備しておき、式（２）に基づいて算出されたσに最も近いσに対応するフィルタを、上記の「ぼかしフィルタ」として選択するようにしてもよい。
【図面の簡単な説明】
【０１３５】
【図１】撮像装置の正面外観図である。
【図２】撮像装置の背面外観図である。
【図３】撮像装置の機能構成を示すブロック図である。
【図４】撮像装置の断面図（ＯＶＦ方式の構図決め動作時）である。
【図５】撮像装置の断面図（ＥＶＦ方式の構図決め動作時）である。
【図６】撮像装置の断面図（ＯＶＦ方式の構図決め動作後の露光動作時）である。
【図７】ライブービュー画像が表示された状態を示す背面図である。
【図８】ぼかしフィルタ（正規化前）を示す図である。
【図９】ぼかしフィルタ（正規化後）を示す図である。
【図１０】ぼかしフィルタの数値例を示す図である。
【図１１】撮像倍率を説明する概念図である。
【図１２】デフォーカス量を説明する概念図である。
【図１３】ライブビュー画像の生成動作を示すフローチャートである。
【図１４】位相差ＡＦ用エリアセンサの配置例を示す図である。
【図１５】位相差ＡＦ用エリアセンサの別の配置例を示す図である。
【符号の説明】
【０１３６】
１  撮像装置
２  カメラ本体部
３  撮影レンズユニット
５，７  撮像素子
６  ミラー機構
１０  ファインダ窓
１２  背面モニタ
６１  主ミラー
６５  ペンタミラー
ΔＤ  デフォーカス量
ｆ  焦点距離
Ｌ  被写体距離
Ｆ  絞り値（Ｆ値）
【図１】
2009219085.tif 000006
【図２】
2009219085.tif 000007
【図３】
2009219085.tif 000008
【図４】
2009219085.tif 000009
【図５】
2009219085.tif 000010
【図６】
2009219085.tif 000011
【図７】
2009219085.tif 000012
【図８】
2009219085.tif 000013
【図９】
2009219085.tif 000014
【図１０】
2009219085.tif 000015
【図１１】
2009219085.tif 000016
【図１２】
2009219085.tif 000017
【図１３】
2009219085.tif 000018
【図１４】
2009219085.tif 000019
【図１５】
2009219085.tif 000020